(57)【特許請求の範囲】
【請求項１】
自動車電話網を構成する無線基地局におけるハイウェイ切替方式において，
上位局と接続された複数のハイウェイの中の一つのハイウェイのフレーム信号の中に他のハイウェイのそれぞれに対応する使用・未使用状態を指示する制御情報を上位局で設定し，
前記無線基地局の前記一つのハイウェイに設けられた分離部で分離された信号について，前記制御情報が予め決められた使用・未使用情報との一致を判別する比較部を設け，
前記比較部により一致を表す結果出力により前記他の対応するハイウェイに関連する各部を使用状態または未使用状態に設定することを特徴とする無線基地局におけるハイウェイ切替方式。
【請求項２】
請求項１において，
前記他のハイウェイのそれぞれに上位局からの信号について符号変換を行って，タイミング変換を行う前にデータを一時保持するデュアルポートＲＡＭを設け，
前記デュアルポートＲＡＭは，未使用状態から使用状態になる時にハイウェイから受け取ったデータを書き込み，前記一致を表す結果出力に応じて前記書き込まれたデータの読み出しを開始することを特徴とする無線基地局におけるハイウェイ切替方式。
【請求項３】
請求項１または２において，
前記比較部からの一致を表す結果出力により，前記対応するハイウェイに関係する各部に対し，イネーブル信号及び電源オンを指示する信号を供給し，各部が即座に動作を開始することを特徴とする無線基地局におけるハイウェイ切替方式。
【請求項４】
請求項１乃至３において，
前記比較部からの一致を表す結果出力により，対応するハイウェイ上の信号のタイミングを網側から無線基地局のタイミングに変換するメモリを動作させ，当該ハイウェイの信号を分離する分離部及び後段の移動機との送受信を行う回路へのデータ出力を制御する出力制御部を駆動することを特徴とする無線基地局におけるハイウェイ切替方式。
【請求項５】
請求項１乃至４において，
前記他のハイウェイの中の使用状態に設定されたハイウェイに対して，前記比較部において一致を表す結果出力が無くなるか，未使用状態を表す情報を検出すると前記対応するハイウェイに関係する各部を未使用状態に切替えることを特徴とする無線基地局におけるハイウェイ切替方式。
【発明の詳細な説明】
【０００１】
【発明の属する技術分野】
本発明は無線基地局におけるハイウェイ切替方式に関する。
自動車電話網の無線基地局は各地域に対応して設けられ，各無線基地局には各セクタとの通信を行う複数の送受信回路や制御回路と，電話網を接続する複数のハイウェイが設けられている。これらのハイウェイは予め一定の呼量を見込んで多めの本数が設けられており，常時全てのハイウェイを動作させる必要がない場合がある。そのようなハイウェイを動作状態に設定するのに手動で行うのは手間かかかるためその改善が望まれている。
【０００２】
【従来の技術】
図５は自動車電話網の全体構成図である。
図５において，８０は一方に一般公衆電話回線が接続され，他方が有線により無線基地局と接続された無線基地局制御装置，８１は一方で複数のセクタ（この例では３つのセクタ）に設けられたアンテナと接続され他方で無線基地局制御装置８０と接続された無線基地局，８２はセクタ１〜セクタ３に設けられたアンテナ，８３は自動車に搭載され移動機（自動車電話装置）である。
【０００３】
無線基地局８１は複数のゾーンからなり，ゾーン構成は種々あるが図５の例ではセクタ１，セクタ２，セクタ３とする。無線基地局制御装置８０は複数の無線基地局８１とインタフェースされる。移動機８３は各セクタ内のアンテナ８２との間で無線により接続され，無線基地局８１，無線基地局制御装置８０を介して一般公衆電話回線へ接続される。
【０００４】
図６は無線基地局のハイウェイ構成を示す。図中，８５はそれぞれセクタ１〜３に対応して設けられた送受信盤，８６はデータユニット盤，８７はインタフェース盤，８８は通話チャネル用の各セクタに対応して設けられたハイウェイ，８９は制御チャネル用のハイウェイである。インタフェース盤８７は各セクタ用の送受信盤８５と通話用のハイウェイ８８を介して通信情報の通信チャネルを送受信する。制御情報はインタフェース盤８７から制御情報の制御チャネルが取り出し，データユニット盤８６を介して各セクタ用の送受信盤８５と制御チャネルが送受される。
【０００５】
図７にインタフェースのタイムスロット構成を示す。
ここには，２Ｍ（メガ）インタフェースタイムスロット構成の１例を示す。図７について説明すると，ハイウェイ＃１〜ハイウェイ＃３が設けられているものとし，各ハイウェイは３２のタイムスロットで構成される。ハイウェイ＃１には制御情報要素の制御チャネル（ＢＣＨで示す）と無線区間同期用チャネル（ＳＹＮＣで表示）と通話情報用の通話チャネルとで構成される。これに対し，ハイウェイ＃２，ハイウェイ＃３は通話チャネルだけで構成される。また，各ハイウェイ＃１〜ハイウェイ＃３には，それぞれセクタ１，セクタ２，セクタ３の通話チャネル用のタイムスロット（ＴＳで表す）を備えている。すなわち，各ハイウェイのＴＳ４〜ＴＳ１１はセクタ１用，ＴＳ１２〜ＴＳ２０はセクタ２用，ＴＳ２１〜ＴＳ２８はセクタ３用である。
【０００６】
図８に従来のインタフェース盤の原理構成を示し，上記図７と同じ２Ｍインタフェースの例である。但し，この構成は信号が無線基地局制御装置側から入力して送受信盤及び移動機へ流れる一方向用の構成だけ示し，他方向の信号のためのハイウェイを含む構成は図示省略されている。
【０００７】
図８において，９０は上位局（無線基地局制御装置，図５の８０）と接続するハイウェイ，９１はハイウェイ９０からのＣＭＩ（Ｃｏｄｅ  Ｍａｒｋ  Ｉｎｖｅｒｓｉｏｎ  ｃｏｄｅ）  符号の信号を受け取り符号変換を行うモジュール（ＭＤＬで表示），９２はＲＡＭにより構成されたエラスティックストア（ＥＳで表示），９３はハイウェイのタイムスロットを制御チャネルと通話チャネルに分離する分離部（ＤＭＵＸで表示：Ｄｅｍｕｌｔｉｐｌｅｘｅｒ），９４はＤＭＵＸ９３からの通話チャネル及び制御チャネルがそれぞれ上記図９の通話チャネル用のハイウェイ８８及び制御チャネル用のハイウェイ８９に出力するのを制御する出力制御部，９５は出力制御部９４を制御するスイッチ（ＳＷ１〜ＳＷ３）である。
【０００８】
図８の動作を説明すると，ハイウェイ＃１の上位局からの信号はモジュール９１で符号変換された後，エラスティックストア（ＥＳ）９２に伝送路に同期したタイミング９２ａで書き込まれ，無線基地局に同期したタイミング９２ｂで読み出されて同期の乗り換えが行われる。次にＤＭＵＸ９３で通話信号，制御チャネル，無線区間同期用信号とにそれぞれ分離される。ハイウェイ＃２，ハイウェイ＃３も同様に処理される。
【０００９】
複数のハイウェイ回線は，常時使用することがなく，例えば，深夜等の通話チャネルが極めて少ない場合や，自動者電話の利用度が低い期間や，地域では全てのハイウェイを常時使用する必要がなかった。ハイウェイを常時使用する場合，実際に通信が行われていない時にも，そのハイウェイ及び関連する装置に対し電源を供給し続ける必要があり，電力が無駄に供給され続けるという問題があった。そのため，各ハイウェイに対しスイッチ（ＳＷ１〜ＳＷ３）９５を設け，ハイウェイの使用・未使用はハイウェイ用の各スイッチにより切替え制御が行われる。例えば，スイッチＳＷ１をオンにして，スイッチＳＷ２とＳＷ３をオフにすると，ハイウェイ＃１だけがオンになって移動機との通信が行われる。
【００１０】
【発明が解決しようとする課題】
上記した従来の無線基地局のインタフェース盤（図８）によると，インタフェースの使用・未使用はスイッチＳＷ１〜ＳＷ３を操作者が操作して使用・未使用の設定を行う必要があった。また，未使用の設定を行ったハイウェイの分離部（ＤＭＵＸ）や，エラスティックストア（ＥＳ）に対しては常時電力の供給を必要としていた。その理由は，未使用から使用に設定が切替えられたハイウェイへのタイムスロットの信号を確実に受信するには，これらの回路を常時動作させておく必要があるからである。
【００１１】
本発明は各ハイウェイ毎に設定用のスイッチを設けることなくハイウェイの使用・未使用の設定が可能な無線基地局におけるハイウェイ切替方式を提供することを目的とする。
【００１２】
【課題を解決するための手段】
図１は本発明の基本構成図である。この構成は，上位局からの通話信号，制御信号を受け取ってアンテナへ送る信号を伝送するハイウェイに関する構成だけ示し，逆方向の信号を伝送するハイウェイに関する構成は図示省略されている。
【００１３】
図１において，１−１〜１−３は上位局からの信号が入力するハイウェイ（ハイウェイ＃１〜＃３で表す），２−１〜２−３はモジュール（ＭＤＬ），３−１〜３−３はエラスティックストア（ＥＳ），４−１〜４−３は分離部（ＤＭＵＸ），５は本発明により設けられた比較部，６−１，６−２は本発明によりハイウェイ２，ハイウェイ３に設けられたデュアルポートＲＡＭ（ＤＵＰ  ＲＡＭ），７−１〜７−５は出力制御器で，７−１，７−３は通話用チャネル用，７−２，７−４，７−５は制御チャネル用である。
【００１４】
本発明は主要なハイウェイに比較器を設け，他のハイウェイにデュアルポートＲＡＭを設けて，主要なハイウェイ上の特定のチャネルにハイウェイの使用・未使用の指示が与えられるとこれを比較器で検出して対応するハイウェイの各部を使用・未使用の状態に切替制御するものである。
【００１５】
ハイウェイ＃１のフレーム構成の中には，未使用の制御チャネルが存在しており，上位局でその未使用の制御チャネルを使用して，特定のハイウェイの未使用のタイムスロット（空きチャネル）に，他のハイウェイ（＃２，＃３の各ハイウェイ）の使用・未使用を指示する符号（またはパターン）を上位局で設定する。
【００１６】
ハイウェイ＃１の分離部４−１から取り出した各チャネルが比較部５に供給されると，比較部５は各ハイウェイ＃２，＃３の使用・未使用を指示する情報が格納される指定されたチャネル（タイムスロット）の内容が，予め設定された符号（パターン）に該当するか比較して，一致すると対応するハイウェイ＃２または＃３を使用状態にする出力を発生する。両方のハイウェイ＃２及び＃３を使用状態にする場合もある。なお，分離部４−１で，予め決められたハイウェイ使用・未使用の制御情報が格納されたタイムスロット（チャネル）だけを分離して，フレームを構成して比較部５へ出力するようにしてもよい。
【００１７】
比較部５は状態を指示する出力として，イネーブル信号と電源オンを指示する信号を，関係するハイウェイ＃２または＃３の各回路に供給する。ハイウェイ＃２の場合は，エラスティックストア３−２，その書き込み部３−２ａ，読み出し部３−２ｂ，分離部４−２及び出力制御器７−１，７−２に供給され，各回路は電源が供給されると共にゲートがオンとなって動作を開始する。
【００１８】
ハイウェイ＃２が使用状態になった時，関係する回路は直ぐに動作できないが，ハイウェイ＃２に通話信号や制御信号が入力されてくると常時動作可能な状態にあるデュアルポートＲＡＭ６−１に網側（上位局）の書込みタイミング６ａで書き込まれ，比較部５からの使用状態を指示する信号５ａが入力されると読み出しを開始し，読み出された信号はエラスティックストア３−２へ供給され，その読み出し信号は分離部４−２に供給され，通話チャネルの信号は出力制御部７−１，制御チャネルの信号は出力制御部７−２から出力され，対応する送受信盤（図６の８５），データユニット盤（図６の８６）へ供給される。
【００１９】
なお，使用状態になっているハイウェイ＃２または＃３を未使用状態にするのは，上位局から同じチャネルで未使用状態を指示する符号（パターン）を設定するか，各フレーム毎に使用状態を指示する符号（パターン）を継続していたのを止める（オール“０”等にする）ことにより表し，これを比較部５で検出すると，イネーブル信号や電源オン信号の発生を止めることで制御することができる。
【００２０】
更に，使用状態と未使用状態の中の一方の制御情報だけを上位局から指示して，無線基地局でそれを検出すると，その制御情報に対応する状態にハイウェイを設定し，その制御情報が到来しなくなると逆の状態に設定するように構成することができる。
【００２１】
【発明の実施の形態】
図２はフレーム内のパターンと比較部の構成を示す図であり，Ａ．はフレーム内のパターン，Ｂ．は比較部の構成を示す。
【００２２】
図２のＢ．において，１０は分離部（ＤＭＵＸ）から分離したチャネル信号が入力する信号線，１１ａはハイウェイ＃２（図１参照）用の比較判定部，１２ａはハイウェイ＃２用の指定制御チャネル検出部，１３ａはハイウェイ＃２用のパターン設定部，１４ａはハイウェイ＃２の結果出力に応じてイネーブル信号またはディセーブル信号を発生する出力制御部，１５ａはハイウェイ＃２の電源スイッチである。また，１１ｂ〜１５ｂはそれぞれハイウェイ＃３用であり，それぞれ１１ａ〜１５ａと同じ名称である。
【００２３】
ハイウェイ＃２及びハイウェイ＃３の使用・未使用を制御するパターンはハイウェイ＃１のフレームにより送られてくる。上記図７に示す２Ｍインタフェースタイムスロット構成を使用する場合，ハイウェイ＃１のタイムスロットの中で，使用されていないＴＳ２９〜ＴＳ３２の中の２つのタイムスロット，例えばＴＳ３０をハイウェイ＃２用，ＴＳ３１をハイウェイ＃３用に割り当てる。なお，ハイウェイ＃１の中のセクタ２またはセクタ３のタイムスロットは通常使用されてないため，それらを使用することもできる。
【００２４】
図２のＡ．には分離部（図１の５）から分離された制御チャネルのフォーマットが示され，このフォーマットはＨＤＬＣ（Ｈｉｇｈ−ｌｅｖｅｌ  Ｄａｔａ  Ｌｉｎｋ  Ｃｏｎｔｒｏｌｌ）のフォーマットで構成される。ａは各フレームの中の先頭のタイムスロットＴＳ１を識別するためのパターン（８ビット）の例が設定されている。次のｂはハイウェイ＃２を使用状態にするためのパターンの例であり，このパターンがタイムスロットＴＳ３０に設定されているとハイウェイ＃２を使用状態にする指示を表すパターンの例であり，ｃ．はハイウェイ＃３を未使用状態にすることを表し，タイムスロット３１に設定されているとハイウェイ＃３を未使用状態にする指示を表す。
【００２５】
図２のＡ．の配列で各チャネルのデータを分離部（図１の４−１）で分離して順番に発生することも可能であるが，分離部で単にモニタ式に入力するフレーム構成をそのまま抽出して比較部に送ることもできる。Ｂ．に示す比較部の例は，パターンが設定されたチャネルを選択する場合の構成を示す。
【００２６】
なお，この例では，ハイウェイ使用を表すパターンは８ビット（１タイムスロット分）で構成されているが，１ビット，２ビット，４ビット等の任意の長さのパターンを使用することも可能であり，その場合は多数のハイウェイについて少ないチャネルにより使用・未使用を制御することができる。
【００２７】
図２のＢ．の動作を説明すると，比較判定部１１ａ，１１ｂにはそれぞれ予めパターン設定部１３ａ，１３ｂに使用状態の指令を表すパターン（８ビット）が設定されている。
【００２８】
分離部から抽出されたタイムスロットの信号は信号線１０から比較判定部１１ａ，１１ｂへ入力されるが，比較動作は指定制御チャネル検出部１２ａ，１２ｂからの出力により実行される。一方，フレームの中の先頭のタイムスロットの位相を表す信号が指定制御チャネル検出部１２ａ，１２ｂへ供給され，その後はタイムスロットのビットに対応するクロックを計数することにより指定制御チャネルが表れるタイミングを検出する。タイムスロットＴＳ３０の終了時に比較判定部１１ａに８ビットが入力された時に指定制御チャネル検出部１２ａから出力が発生し，パターン設定部１３ａの設定されたパターンと比較される。一致が得られると，ハイウェイ＃２の結果出力が発生する。
【００２９】
パターン一致が検出された場合，この図２の構成では，ハイウェイ＃２の各部（図１の符号３−２，３−２ａ，３−２ｂ，４−２，６−１，７−１，７−２）へのイネーブル信号の発生を制御する出力制御部１４ａとハイウェイ＃２の各部（図１の符号３−２，３−２ａ，３−２ｂ，４−２，７−１，７−２）への電源供給を制御する電源スイッチ１５ａを駆動する。出力制御部１４ａは，論理回路で構成され，イネーブル（ＥＮ）端子が駆動されることにより，“１”で表示する端子に供給された基地局タイミング信号を出力端子に出力し，比較判定部１１ａから一致を表す結果出力が発生しない場合，“−１”の入力端子に印加されたグランドレベルを出力端子に出力する。
【００３０】
電源スイッチ１５ａは，ホトカプラ，リレー等で構成され，一致の結果出力が入力すると，内部のスイッチがオンとなって，＋５Ｖとグランド（ＧＮＤ）の入力がそれぞれ出力側へ接続され，ハイウェイ＃２の各部へ供給される。
【００３１】
ハイウェイ＃３用の比較判定部１１ｂにおいても，決められた制御チャネルであるタイムスロットＴＳ３１のパターンについて同様の方法で比較を行い，ハイウェイ＃３の各部について使用状態を制御する。
【００３２】
図２の比較判定部１１ａ，１１ｂの場合，使用状態にするパターンを検出した場合は，一定時間はその結果出力が保持し，その後対応する制御チャネルから使用状態を指示するパターンが継続して発生するとその状態を保持するが，それ以外のパターン（オール“０”を含む）が送られてくると，比較判定部１１ａまたは１１ｂから比較一致が得られなくなる。その状態が一定時間継続すると結果出力が無くなり，出力制御部１４ａ，１４ｂはディゼーブルの出力（グランドレベル）を発生し，電源スイッチ１５ａ，１５ｂはオフに切り替えられる。
【００３３】
図２の例では比較部内に出力制御部１４ａ，１４ｂと電源スイッチ１５ａ，１５ｂが内蔵されているが，関連するハイウェイの各部（ハイウェイ＃２の場合，デュアルポートＲＡＭ６−１，エラスティックストア３−２，分離部４−２，出力制御器７−１，７−２）の中に個別にイネーブル信号を発生する出力制御部や電源スイッチを備え，比較部における比較結果信号を各部に供給して個別に出力制御部や電源スイッチを制御するようにしてもよい。その場合に各部に設けることができる出力制御部を図３により説明する。
【００３４】
図３は出力制御部の各種の構成例である。
図３のＡ．は出力制御部３０のイネーブル端子（ＥＮ）に比較結果信号が入力され，“１”の端子にデータ等の入力が供給され，“−１”の端子にグランドレベルが供給されている。この構成では，イネーブル端子に一致出力（使用状態の指示検出時）が入力すると，出力側に“１”の端子のデータ等の入力がそのまま出力され，不一致を結果出力が入力すると出力側にグランドレベルが発生する。すなわち，ハイウェイ未使用の場合に“０”の固定パターンが発生する。
【００３５】
図３のＢ．の場合は，出力制御部３１のイネーブル端子に一致出力が入力した場合は，上記Ａ．の場合と同様にデータ等の入力がそのまま出力されるが，不一致の結果出力が入力すると，“−１”の端子に供給されている＋５Ｖの信号が出力される。すなわち，ハイウェイ未使用の場合に“１”の固定パターンが発生する。
【００３６】
図３のＣ．は，出力制御部３２の“−１”の端子に特定の“０”，“１”を組は合わせた特定符号を構成する固定パターンが入力されており，イネーブル端子に一致出力が入力した場合は，上記Ａ．及びＢ．の場合と同様にデータ等の入力がそのまま出力されるが，不一致の結果出力が入力すると，装置内のタイミングに同期して出力側に固定パターンを発生する。
【００３７】
上記したＡ．〜Ｃ．の各例に示すように，使用状態を検出してイネーブル端子が駆動された場合は，データ等の入力がそのまま出力されて各部（分離部，エラスティックストア等）の内部でデータ等の転送が行われるが，未使用状態を検出した場合，出力制御部からグランドレベル（０Ｖ），＋５Ｖの信号または固定パターンが発生する。固定パターンが発生するのは，固定のレベルでは相手回路が誤って有効データとして受け取ってしまう可能性がある場合に特定符号の固定パターンを発生することにより無効なデータであることを通知するためである。
【００３８】
これらの各種の出力制御部の中から各部の回路に応じて適宜選択することができる。
図４はデュアルポートＲＡＭの動作説明図であり，Ａ．はデュアルポートＲＡＭの動作原理を示し，Ｂ．は遅延時間の説明である。
【００３９】
図１に示すデュアルポートＲＡＭ（図１の６−１，６−２）は，それぞれハイウェイ＃２，＃３に接続され，常時電源がオンの状態である。上位局からそれまで未使用であったハイウェイ＃２を使用する指示がハイウェイ＃１に設定され，無線基地局の上記図３に示す比較部で一致を検出して，結果出力が発生するまでに遅延時間が存在する。この間に上位局からハイウェイ＃２を使用してデータ（タイムスロット上のチャネルデータ）が送られてくる場合がある。
【００４０】
これに対応するため，本発明により設けたデュアルポートＲＡＭは，図４のＡ．の（１）に示すように，ハイウェイ＃２（＃３の場合も同様）へ上位局から送られたデータを，網側のタイミング６ａ（図１）により順番に書き込む。この時は，まだハイウェイ＃２は未使用の状態であるから読み出し禁止の状態である。この後，比較部で一致が検出されて使用状態を指示する信号５ａ（図１）がデュアルポートＲＡＭに供給されると，Ａ．の（２）に示すように，読み出し禁止が解除され，読み出し動作が行われるので，通話チャネルのデータを先頭から確実に伝送できるため，瞬断が発生することはない。この時のデータの読み出しは，古いデータから順次行う。
【００４１】
図４のＢ．を説明すると，デュアルポートＲＡＭの書き込みは常に行われており，ハイウェイ使用指示を検出することにより読み出しが許可される。この書き込みと読み出しの間に時間αだけ遅延が生じるが，このαの遅延はナノセコンドからマイクロセコンドのオーダなので通話には全く支障がない。
【００４２】
【発明の効果】
本発明によれば無線基地局の各ハイウェイ毎に使用・未使用を設定するための操作者により操作されるスイッチを設けずに，ハイウェイの使用・未使用の設定の切替を上位局から行うことが可能となる。また，制御チャネルにハイウェイ使用パターンを指定しておくことにより，ハイウェイ周辺回路へ電源を供給することが可能となる。
【００４３】
さらに，ハイウェイにデュアルポートＲＡＭを設けることにより，ハイウェイ使用時に装置内タイミングで読み出すことにより瞬段することなくハイウェイの切替えが可能となる。
【００４４】
ハイウェイ未使用時には出力制御部から任意のパターンを送出することが可能となる。
これらにより，多数のハイウェイを設けた場合にも，未使用ハイウェイの周辺回路への電源供給をせずに済むので無駄な電力消費を節約することができる。
【図面の簡単な説明】
【図１】本発明の基本構成図である。
【図２】フレーム内のパターンと比較部の構成を示す図である。
【図３】出力制御部の各種の構成例を示す図である。
【図４】デュアルポートＲＡＭの動作説明図である。
【図５】自動車電話網の全体構成図である。
【図６】無線基地局のハイウェイ構成を示す図である。
【図７】インタフェースのタイムスロット構成を示す図である。
【図８】従来のインタフェース盤の原理構成を示す図である。
【符号の説明】
１−１〜１−３    ハイウェイ（＃１〜＃３）
２−１〜２−３    モジュール（ＭＤＬ）
３−１〜３−３    エラスティックストア（ＥＳ）
４−１〜４−３    分離部（ＤＭＵＸ）
５                比較部
６−１，６−２    デュアルポートＲＡＭ（ＤＵＰ  ＲＡＭ）
７−１〜７−５    出力制御器
【図１】
0003628766.tif 000002
【図２】
0003628766.tif 000003
【図３】
0003628766.tif 000004
【図４】
0003628766.tif 000005
【図５】
0003628766.tif 000006
【図６】
0003628766.tif 000007
【図７】
0003628766.tif 000008
【図８】
0003628766.tif 000009